(57)【要約】  本明細書の実施形態は、一般に、制御プレーン（ＣＰ）ノード、ＣＰノードによって実行される方法、無線アクセスネットワーク（ＲＡＮ）ノード、およびＲＡＮノードによって実行される方法に関する。より詳細には、本明細書の実施形態は、ページングを処理することに関する。【選択図】図１
2020536444.tif 000002
【特許請求の範囲】
【請求項１】
ページングを処理するための制御プレーン（ＣＰ）ノード（１０５）によって実行される方法であって、
ユーザ機器（ＵＥ）（１０１）がアクセスネットワーク（ＡＮ）ノード（１０３）によってページングされるべきことをトリガすること（４０１）と、
トリガされたとき、前記ＡＮノード（１０３）にページング支援情報を送信すること（４０２）と
を含み、
前記ページング支援情報がサービス優先度情報および／またはページング優先度情報のうちの少なくとも１つを含む、方法。
【請求項２】
前記ＡＮページングが、ダウンリンクシグナリングおよび／またはダウンリンクデータのうちの少なくとも１つの場合にトリガされる、請求項１に記載の方法。
【請求項３】
前記ページング支援情報が、以下のプロシージャ、すなわち、
プロトコルデータユニット（ＰＤＵ）セッション確立／変更、および／または
ダウンリンク非アクセス層（ＮＡＳ）トランスポート、および／または
Ｎ２  ＵＥコンテキスト確立／変更、および／または
ハンドオーバ（ＨＯ）準備
のうちの少なくとも１つに関連するメッセージ中で前記ＡＮノード（１０３）に送信される、請求項１または２に記載の方法。
【請求項４】
前記ＵＥ（１０１）が無線リソース制御（ＲＲＣ）非アクティブ状態にある、請求項１から３のいずれか一項に記載の方法。
【請求項５】
前記ＵＥ（１０１）が、ＲＲＣ非アクティブ状態で接続管理−（ＣＭ−）ＣＯＮＮＥＣＴＥＤ状態にある、請求項１から４のいずれか一項に記載の方法。
【請求項６】
前記ページング支援情報中に含まれるサービス優先度情報が、
前記ＣＰノード（１０５）によって生成される優先度レベル、および／または
ＵＥもしくはＰＤＵセッションレベル指示
のうちの少なくとも１つを含む、請求項１から５のいずれか一項に記載の方法。
【請求項７】
前記ページング支援情報が静的ページング支援情報および／または動的ページング支援情報のうちの少なくとも１つを含む、請求項１から６のいずれか一項に記載の方法。
【請求項８】
前記ページング支援情報がＵＥレベルにおいてまたはＰＤＵセッションレベルにおいて前記ＡＮノード（１０３）に送信される、請求項１から７のいずれか一項に記載の方法。
【請求項９】
前記ＣＰノード（１０５）がアクセスおよびモビリティ管理機能（ＡＭＦ）である、請求項１から８のいずれか一項に記載の方法。
【請求項１０】
ページングを処理するためのアクセスネットワーク（ＡＮ）ノード（１０３）によって実行される方法であって、
制御プレーン（ＣＰ）ノード（１０５）からページング支援情報を受信すること（４０２）と、
前記受信されたページング支援情報に基づいてページングストラテジーを決定すること（４０３）と、
前記決定されたページングストラテジーを使用して前記ユーザ機器（ＵＥ）（１０１）をページングすること（４０４）と
を含み、
前記ページング支援情報がサービス優先度情報および／またはページング優先度情報のうちの少なくとも１つを含む、方法。
【請求項１１】
前記ページングストラテジーが、さらに、前記ＡＮノード（１０３）中に含まれるローカル情報に基づいて決定される、請求項１０に記載の方法。
【請求項１２】
前記ページング支援情報が、以下のプロシージャ、すなわち、
プロトコルデータユニット（ＰＤＵ）セッション確立／変更、および／または
ダウンリンク非アクセス層（ＮＡＳ）トランスポート、および／または
Ｎ２  ＵＥコンテキスト確立／変更、および／または
ハンドオーバ（ＨＯ）準備
のうちの少なくとも１つに関連するメッセージ中で前記ＡＮノード（１０３）によって受信される、請求項１０または１１に記載の方法。
【請求項１３】
前記ＵＥ（１０１）が無線リソース制御（ＲＲＣ）非アクティブ状態にある、請求項１０から１２のいずれか一項に記載の方法。
【請求項１４】
前記ＵＥ（１０１）がＲＲＣ非アクティブ状態で接続管理−（ＣＭ−）ＣＯＮＮＥＣＴＥＤ状態にある、請求項１０から１３のいずれか一項に記載の方法。
【請求項１５】
前記ページング支援情報中に含まれるサービス優先度情報が、
前記ＣＰノード（１０５）によって生成される優先度レベル、および／または
ＵＥもしくはＰＤＵセッションレベル指示
のうちの少なくとも１つを含む、請求項１０から１４のいずれか一項に記載の方法。
【請求項１６】
前記ページング支援情報が静的ページング支援情報および／または動的ページング支援情報のうちの少なくとも１つを含む、請求項１０から１５のいずれか一項に記載の方法。
【請求項１７】
前記ページング支援情報がＵＥレベルにおいてまたはＰＤＵセッションレベルにおいて前記ＡＮノード（１０３）によって受信される、請求項１０から１６のいずれか一項に記載の方法。
【請求項１８】
ページングを処理するための制御プレーン（ＣＰ）ノード（１０５）であって、
ＵＥ（１０１）がＡＮノード（１０３）によってページングされるべきであることをトリガすることと、
トリガされたとき、前記ＡＮノード（１０３）にページング支援情報を送信することと
を行うように適応され、
前記ページング支援情報がサービス優先度情報および／またはページング優先度情報のうちの少なくとも１つを含む、ＣＰノード（１０５）。
【請求項１９】
前記ＡＮページングが、ダウンリンクシグナリングおよび／またはダウンリンクデータのうちの少なくとも１つの場合にトリガされる、請求項１８に記載のＣＰノード（１０５）。
【請求項２０】
前記ページング支援情報が、以下のプロシージャ、すなわち、
プロトコルデータユニット（ＰＤＵ）セッション確立／変更、および／または
ダウンリンク非アクセス層（ＮＡＳ）トランスポート、および／または
Ｎ２  ＵＥコンテキスト確立／変更、および／または
ハンドオーバ（ＨＯ）準備
のうちの少なくとも１つに関連するメッセージ中で前記ＡＮノード（１０３）に送信される、請求項１８または１９に記載のＣＰノード（１０５）。
【請求項２１】
前記ＵＥ（１０１）が無線リソース制御（ＲＲＣ）非アクティブ状態にある、請求項１８から２０のいずれか一項に記載のＣＰノード（１０５）。
【請求項２２】
前記ＵＥ（１０１）がＲＲＣ非アクティブ状態で接続管理−（ＣＭ−）ＣＯＮＮＥＣＴＥＤ状態にある、請求項１８から２１のいずれか一項に記載のＣＰノード（１０５）。
【請求項２３】
前記ページング支援情報中に含まれるサービス優先度情報が、
前記ＣＰノード（１０５）によって生成される優先度レベル、および／または
ＵＥもしくはＰＤＵセッションレベル指示
のうちの少なくとも１つを含む、請求項１８から２２のいずれか一項に記載のＣＰノード（１０５）。
【請求項２４】
前記ページング支援情報が静的ページング支援情報および／または動的ページング支援情報のうちの少なくとも１つを含む、請求項１８から２３のいずれか一項に記載のＣＰノード（１０５）。
【請求項２５】
前記ページング支援情報がＵＥレベルにおいてまたはＰＤＵセッションレベルにおいて前記ＡＮノード（１０３）に送信される、請求項１８から２４のいずれか一項に記載のＣＰノード（１０５）。
【請求項２６】
アクセスおよびモビリティ管理機能（ＡＭＦ）である、請求項１８から２５のいずれか一項に記載のＣＰノード（１０５）。
【請求項２７】
ページングを処理するためのアクセスネットワーク（ＡＮ）ノード（１０３）であって、
制御プレーン（ＣＰ）ノード（１０５）からページング支援情報を受信することと、
前記受信されたページング支援情報に基づいてページングストラテジーを決定することと、
前記決定されたページングストラテジーを使用して前記ＵＥ（１０１）をページングすることと
を行うように適応され、
前記ページング支援情報がサービス優先度情報および／またはページング優先度情報のうちの少なくとも１つを含む、ＡＮノード（１０３）。
【請求項２８】
前記ページングストラテジーが、さらに、前記ＡＮノード（１０３）中に含まれるローカル情報に基づいて決定される、請求項２７に記載のＡＮノード（１０３）。
【請求項２９】
前記ページング支援情報が、以下のプロシージャ、すなわち、
プロトコルデータユニット（ＰＤＵ）セッション確立／変更、および／または
ダウンリンク非アクセス層（ＮＡＳ）トランスポート、および／または
Ｎ２  ＵＥコンテキスト確立／変更、および／または
ハンドオーバ（ＨＯ）準備
のうちの少なくとも１つに関連するメッセージ中で前記ＡＮノード（１０３）によって受信される、請求項２７または２８に記載のＡＮノード（１０３）。
【請求項３０】
前記ＵＥ（１０１）が無線リソース制御（ＲＲＣ）非アクティブ状態にある、請求項２７から２９のいずれか一項に記載のＡＮノード（１０３）。
【請求項３１】
前記ＵＥ（１０１）がＲＲＣ非アクティブ状態で接続管理−（ＣＭ−）ＣＯＮＮＥＣＴＥＤ状態にある、請求項２７から３０のいずれか一項に記載のＡＮノード（１０３）。
【請求項３２】
前記ページング支援情報中に含まれるサービス優先度情報が、
前記ＣＰノード（１０５）によって生成される優先度レベル、および／または
ＵＥもしくはＰＤＵセッションレベル指示
のうちの少なくとも１つを含む、請求項２７から３１のいずれか一項に記載のＡＮノード（１０３）。
【請求項３３】
前記ページング支援情報が静的ページング支援情報および／または動的ページング支援情報のうちの少なくとも１つを含む、請求項２７から３２のいずれか一項に記載のＡＮノード（１０３）。
【請求項３４】
前記ページング支援情報がＵＥレベルにおいてまたはＰＤＵセッションレベルにおいて前記ＡＮノード（１０３）によって受信される、請求項２７から３３のいずれか一項に記載のＡＮノード（１０３）。
【請求項３５】
請求項１８から２６のいずれか一項に記載のＣＰノード（１０５）と、請求項２７から３４のいずれか一項に記載のＡＮノード（１０３）とを含むシステム。
【請求項３６】
ページングを処理するためのシステムによって実行される方法であって、
制御プレーン（ＣＰ）ノード（１０５）において、ユーザ機器（ＵＥ）（１０１）がアクセスネットワーク（ＡＮ）ノード（１０３）によってページングされるべきであることをトリガすること（４０１）と、
トリガされたとき、前記ＣＰノード（１０５）から前記ＡＮノード（１０３）にページング支援情報を送信すること（４０２）と、
前記ＡＮノード（１０３）において、制御プレーン（ＣＰ）ノード（１０５）からページング支援情報を受信すること（４０２）と、
前記ＡＮノード（１０３）において、前記受信されたページング支援情報に基づいてページングストラテジーを決定すること（４０３）と、
前記ＡＮノード（１０３）において、前記決定されたページングストラテジーを使用して前記ユーザ機器（ＵＥ）（１０１）をページングすること（４０４）と、
前記ＵＥ（１０１）において、前記ＡＮノード（１０３）から前記ページングを検出すること（４０４）と
を含む、方法。
【請求項３７】
少なくとも１つのプロセッサ上で実行されたとき、前記少なくとも１つのプロセッサに請求項１から９のいずれか一項に記載の方法を実行させる命令を含むコンピュータプログラム。
【請求項３８】
電子信号、光信号、無線信号またはコンピュータ可読記憶媒体のうちの１つである、請求項３７に記載のコンピュータプログラムを含むキャリア。
【請求項３９】
少なくとも１つのプロセッサ上で実行されたとき、前記少なくとも１つのプロセッサに請求項１０から１７のいずれか一項に記載の方法を実行させる命令を含むコンピュータプログラム。
【請求項４０】
電子信号、光信号、無線信号またはコンピュータ可読記憶媒体のうちの１つである、請求項３９に記載のコンピュータプログラムを含むキャリア。
【請求項４１】
少なくとも１つのプロセッサ上で実行されたとき、前記少なくとも１つのプロセッサに請求項３６に記載の方法を実行させる命令を含むコンピュータプログラム。
【請求項４２】
電子信号、光信号、無線信号またはコンピュータ可読記憶媒体のうちの１つである、請求項４１に記載のコンピュータプログラムを含むキャリア。
【発明の詳細な説明】
【技術分野】
【０００１】
本明細書の実施形態は、一般に、制御プレーン（ＣＰ）ノード、ＣＰノードによって実行される方法、無線アクセスネットワーク（ＲＡＮ）ノード、およびＲＡＮノードによって実行される方法に関する。より詳細には、本明細書の実施形態はページングを処理することに関する。
【背景技術】
【０００２】
現在の３ＧＰＰ  ＴＳ２３．５０１Ｖ１．４．０（２０１７−０９）によれば、５Ｇシステムアーキテクチャは、展開が、たとえばネットワーク機能仮想化（ＮＦＶ）およびソフトウェア定義ネットワーキング（ＳＤＮ）などの技法を使用することを可能にする、データ接続性およびサービスをサポートするために定義される。５Ｇシステムアーキテクチャは、識別される場合、制御プレーン（ＣＰ）ネットワーク機能間のサービスベース対話を活用する。５Ｇの１つの重要な特徴は、ユーザプレーン（ＵＰ）機能を制御プレーン（ＣＰ）機能から分離して、独立したスケーラビリティ、エボリューションおよびフレキシブルな展開、たとえば、集中ロケーションまたは分散（リモート）ロケーションを可能にすることである。
【０００３】
図１および図２は５Ｇシステムのためのアーキテクチャの例を示す。５Ｇアーキテクチャは、サービスベースであり、互いに対話するネットワーク機能を含む。図１は非ローミング５Ｇシステムアーキテクチャを示し、図２はローミング５Ｇシステムアーキテクチャホームルーテッドシナリオを示す。図１および図２におけるネットワーク機能間のインターフェースまたは参照ポイントはサービスベースインターフェースと呼ばれることがある。
【０００４】
図１および図２における例示的なアーキテクチャは、以下のエンティティ、すなわち、
認証サーバ機能（ＡＵＳＦ）
アクセスおよびモビリティ管理機能（ＡＭＦ）
データネットワーク（ＤＮ）、たとえばオペレータサービス、インターネットアクセスまたは第三者サービス
非構造化データストレージ機能（ＵＤＳＦ）
ネットワークエクスポージャ機能（ＮＥＦ）
ＮＦリポジトリ機能（ＮＲＦ）
ネットワークスライス選択機能（ＮＳＳＦ）
ポリシー制御機能（ＰＣＦ）
セッション管理機能（ＳＭＦ）
統一データ管理（ＵＤＭ）
統一データリポジトリ（ＵＤＲ）
ユーザプレーン機能（ＵＰＦ）
アプリケーション機能（ＡＦ）
ユーザ機器（ＵＥ）
（無線）アクセスネットワーク（（Ｒ）ＡＮ）
５Ｇ機器識別情報レジスタ（５Ｇ−ＥＩＲ）
のうちの少なくともいくつかを含む。
【０００５】
図１および図２における例示的な５Ｇシステムアーキテクチャは、以下のサービスベースインターフェース、すなわち、
Ｎａｍｆ：ＡＭＦによって示されるサービスベースインターフェース
Ｎｓｍｆ：ＳＭＦによって示されるサービスベースインターフェース
Ｎｎｅｆ：ＮＥＦによって示されるサービスベースインターフェース
Ｎｐｃｆ：ＰＣＦによって示されるサービスベースインターフェース
Ｎｕｄｍ：ＵＤＭによって示されるサービスベースインターフェース
Ｎａｆ：ＡＦによって示されるサービスベースインターフェース
Ｎｎｒｆ：ＮＲＦによって示されるサービスベースインターフェース
Ｎｎｓｓｆ：ＮＳＳＦによって示されるサービスベースインターフェース
Ｎａｕｓｆ：ＡＵＳＦによって示されるサービスベースインターフェース
Ｎｕｄｒ：ＵＤＲによって示されるサービスベースインターフェース
Ｎｕｄｓｆ：ＵＤＳＦによって示されるサービスベースインターフェース
Ｎ５ｇ−ｅｉｒ：５Ｇ−ＥＩＲによって示されるサービスベースインターフェース
のうちの少なくとも１つを含む。
【０００６】
図１および図２における例示的な５Ｇシステムアーキテクチャは、以下の参照ポイント、すなわち、
Ｎ１：ＵＥとＡＭＦとの間の参照ポイント
Ｎ２：（Ｒ）ＡＮとＡＭＦとの間の参照ポイント
Ｎ３：（Ｒ）ＡＮとＵＰＦとの間の参照ポイント
Ｎ４：ＳＭＦとＵＰＦとの間の参照ポイント
Ｎ６：ＵＰＦとデータネットワークとの間の参照ポイント
Ｎ９：２つのＵＰＦ間の参照ポイント
Ｎ５：ＰＣＦとＡＦとの間の参照ポイント
Ｎ７：ＳＭＦとＰＣＦとの間の参照ポイント
Ｎ２４：訪問先ネットワーク中のＰＣＦとホームネットワーク中のＰＣＦとの間の参照ポイント
Ｎ８：ＵＤＭとＡＭＦとの間の参照ポイント
Ｎ１０：ＵＤＭとＳＭＦとの間の参照ポイント
Ｎ１１：ＡＭＦとＳＭＦとの間の参照ポイント
Ｎ１２：ＡＭＦとＡＵＳＦとの間の参照ポイント
Ｎ１３：ＵＤＭと認証サーバ機能ＡＵＳＦとの間の参照ポイント
Ｎ１４：２つのＡＭＦ間の参照ポイント
Ｎ１５：非ローミングシナリオの場合のＰＣＦとＡＭＦとの間の参照ポイント、ローミングシナリオの場合の訪問先ネットワーク中のＰＣＦとＡＭＦとの間の参照ポイント
Ｎ１６：（訪問先ネットワーク中のＳＭＦとホームネットワーク中のＳＭＦとの間のローミングの場合の）２つのＳＭＦ間の参照ポイント
Ｎ１７：ＡＭＦと５Ｇ−ＥＩＲとの間の参照ポイント
Ｎ１８：任意のＮＦとＵＤＳＦとの間の参照ポイント
Ｎ２２：ＡＭＦとＮＳＳＦとの間の参照ポイント
Ｎ２７：訪問先ネットワーク中のＮＲＦとホームネットワーク中のＮＲＦとの間の参照ポイント
のうちの少なくとも１つを含む。
【０００７】
現在の３ＧＰＰ  ＴＳ２３．５０１Ｖ１．４．０（２０１７−０９）は無線リソース制御（ＲＲＣ）非アクティブ状態を導入している。５ＧＣはＲＡＮにＲＲＣ非アクティブ支援情報を与える。
【０００８】
ＡＭＦとのＵＥのＮＡＳシグナリング接続性を反映するために使用される２つの接続管理（ＣＭ）状態、すなわち、
ＣＭ−ＩＤＬＥ
ＣＭ−ＣＯＮＮＥＣＴＥＤ
がある。
【０００９】
ＣＭ−ＣＯＮＮＥＣＴＥＤ状態におけるＵＥは、Ｎ１参照ポイントを介するＡＭＦとのＮＡＳシグナリング接続を有する。ＵＥが、たとえばＣＭ−ＣＯＮＮＥＣＴＥＤ状態にあるとき、ＵＥはＲＲＣ非アクティブ状態にもあり得る。ＲＲＣ非アクティブ状態にあるとき、以下のうちの少なくとも１つが当てはまる。すなわち、
ＵＥ到達可能性は、コアネットワークからの支援情報により、ＲＡＮによって管理される、および／または
ＵＥページングはＲＡＮによって管理される、および／または
ＵＥはＵＥのＣＮ（５Ｇ  Ｓ−ＴＭＳＩ）およびＲＡＮ識別子によりページングについて監視する。
【００１０】
３ＧＰＰ  ＴＳ２３．５０１Ｖ１．４．０（２０１７−０９）は、ＲＲＣ非アクティブ状態でのＣＭ−ＣＯＮＮＥＣＴＥＤ、ＣＭ−ＣＯＮＮＥＣＴＥＤにおけるＵＥ到達可能性およびコアネットワーク支援ＲＡＮパラメータチューニングに関して、セクション５．３．３．２．５、５．４．２および５．４．６において以下のことを開示している。
【００１１】
ＲＲＣ非アクティブ状態でのＣＭ−ＣＯＮＮＥＣＴＥＤ
ＲＲＣ非アクティブ状態は次世代-ＲＡＮ（ＮＧ−ＲＡＮ）に適用される（すなわち、ＲＲＣ非アクティブ状態は新無線（ＮＲ）および５Ｇ  ＣＮに接続されたＥ−ＵＴＲＡに適用される）。
【００１２】
ＡＭＦは、ネットワーク設定に基づいて、ＵＥがＲＲＣ非アクティブ状態に送られ得るかどうかのＮＧ  ＲＡＮの決定を支援するために、ＮＧ  ＲＡＮに支援情報を与え得る。ＵＥは、ＮＡＳレイヤまたはＡＳレイヤ上でＲＲＣ非アクティブ状態のためのサポートの指示を与え得る。
【００１３】
「ＲＲＣ非アクティブ支援情報」は以下の情報のうちの少なくとも１つを含む。すなわち、
ＵＥ固有のＤＲＸ値、および／または
ＵＥに与えられる登録エリア、および／または
周期的登録更新タイマー、および／または
ＡＭＦがＵＥのためのＭＩＣＯモードを可能にした場合、ＵＥがＭＩＣＯモードであるという指示。
【００１４】
上述のＲＲＣ非アクティブ支援情報は、ＵＥがＲＲＣ非アクティブ状態に送られ得るかどうかのＮＧ  ＲＡＮの決定を支援するために、（新しい）サービングＮＧ  ＲＡＮノードとのＮ２アクティブ化中に（すなわち登録、サービス要求、ハンドオーバ中に）ＡＭＦによって与えられる。ＲＲＣ非アクティブはＲＲＣ状態マシンの一部であり、ＲＲＣ非アクティブ状態に入るための条件を決定するのはＲＡＮ次第である。ＲＲＣ非アクティブ支援情報中に含まれるパラメータのいずれかがＮＡＳプロシージャの結果として変化した場合、ＡＭＦはＲＲＣ非アクティブ支援情報をＮＧ  ＲＡＮノードに更新する。ＵＥがＣＭ−ＣＯＮＮＥＣＴＥＤ状態にあるとき、ＡＭＦがＲＲＣ非アクティブ支援情報を与えていた場合、ＲＡＮノードは、ＵＥをＲＲＣ非アクティブ状態でＣＭ−ＣＯＮＮＥＣＴＥＤに移動することを決定し得る。
【００１５】
Ｎ２参照ポイントおよびＮ３参照ポイントの状態は、ＵＥがＲＲＣ非アクティブ状態でＣＭ−ＣＯＮＮＥＣＴＥＤに入ることによって変更されない。ＲＲＣ非アクティブ状態のＵＥはＲＡＮ通知エリアに気づいている。
【００１６】
ＲＲＣ非アクティブ状態の導入とともに、ＵＥ到達可能性管理もこの状態でＲＡＮ側に移動される。
【００１７】
ＣＭ−ＣＯＮＮＥＣＴＥＤにおけるＵＥ到達可能性
ＣＭ−ＣＯＮＮＥＣＴＥＤ状態におけるＵＥの場合、
ＡＭＦはサービング（Ｒ）ＡＮノードグラニュラリティ上のＵＥロケーションを知っている、および／または
ＮＧ−ＲＡＮは、ＵＥがいつＲＡＮ視点から到達不可能になるかをＡＭＦに通知する。
【００１８】
ＵＥ  ＲＡＮ到達可能性管理はＲＲＣ非アクティブ状態においてＵＥのためにＲＡＮによって使用される。ＲＲＣ非アクティブ状態におけるＵＥのロケーションはＲＡＮ通知エリアグラニュラリティ上でＲＡＮによって知られている。ＲＲＣ非アクティブ状態におけるＵＥは、ＵＥに割り当てられたＲＡＮ通知エリアのセル中でページングされる。ＲＡＮ通知エリアは、ＵＥの登録エリアにおいて設定されるセルのサブセット、またはＵＥの登録エリアにおいて設定されるすべてのセルであり得る。ＲＲＣ非アクティブ状態におけるＵＥは、ＵＥに割り当てられたＲＡＮ通知エリアの一部でないセルに入るとき、ページングエリア更新を実行する。
【００１９】
ＲＲＣ非アクティブ状態への遷移時に、ＲＡＮはＵＥを周期的ＲＡＮ通知エリア更新タイマー値で設定し、タイマーは、ＵＥ中でおよびこの初期タイマー値をもつＲＡＮ中で再始動される。ＵＥ中の周期的ＲＡＮ通知エリア更新タイマーの満了の後に、ＲＲＣ非アクティブ状態におけるＵＥは周期的ＲＡＮ通知エリア更新を実行する。
【００２０】
ＡＭＦにおけるＵＥ到達可能性管理を助けるために、ＲＡＮにおける周期的ＲＡＮ通知エリア更新タイマーの満了時に、ＲＡＮはＲＲＣ解放タイマーを始動する。ＲＲＣ解放タイマーが満了した場合、ＲＡＮはＡＮプロシージャにおけるＵＥコンテキスト解放を開始する。
【００２１】
現在の３ＧＰＰ  ＴＳ２３．５０１Ｖ１．４．０（２０１７−０９）はまた、いくつかのパラメータが５ＧＣによってＲＡＮに与えられ得ることを示した（以下のテキスト参照）。しかしながら、この現在定義されている情報（すなわち、予想されるＵＥアクティビティ挙動および予想されるＨＯ挙動）は実際にＲＡＮページングに関係していない。
【００２２】
コアネットワーク支援ＲＡＮパラメータチューニング
コアネットワーク支援ＲＡＮパラメータチューニングは、ＵＥ状態遷移を最小にし、最適なネットワーク挙動を達成するためにＲＡＮを助ける。ＲＡＮがどのようにしてＣＮ支援情報を使用するかは定義されていない。
【００２３】
ＣＮ支援情報は、ＵＥ挙動統計の収集および／または予想されるＵＥ挙動について他の利用可能な情報（サブスクライブされるＤＮＮ、ＳＵＰＩ範囲、または他の情報など）に基づいて、ＡＭＦ中のＵＥごとにＡＭＦによって導出され得る。ＵＥの通信パターンパラメータが利用可能である場合、ＡＭＦは、ＣＮ支援ＲＡＮパラメータ値を選択するためにこの情報を使用し得る。ＡＭＦがＵＥのモビリティパターンを導出することが可能である場合、ＡＭＦは、ＣＮ支援ＲＡＮパラメータ値を選択するときにモビリティパターン情報を考慮に入れ得る。
【００２４】
通信パターンパラメータおよびモビリティパターン情報は、ＣＮ支援ＲＡＮパラメータ値を導出するための入力としてＡＭＦによって使用される。通信パターンパラメータは、ＮＥＦを介して外部当事者によってプロビジョニングされ得る。統計ベースＣＮ支援情報収集の場合、これは、ローカル設定（たとえば、サブスクライブされるＤＮＮ、ＳＵＰＩ範囲、または他のサブスクリプション情報）に基づいて可能にされ得る。
【００２５】
ＣＮ支援情報は、これらの態様のためのＵＥ挙動を理解する方法をＲＡＮに与える。すなわち、
「予想されるＵＥアクティビティ挙動」、すなわち、ＣＭ−ＣＯＮＮＥＣＴＥＤ状態とＣＭ−ＩＤＬＥ状態との間のＵＥの変化の予想されるパターン。これは、たとえば、統計情報、またはモビリティパターンから、またはサブスクリプション情報から導出され得る。
「予想されるＨＯ挙動」、すなわち、インターＲＡＮハンドオーバ間の予想される間隔。これは、たとえば、統計情報、またはＵＥのモビリティパターン情報またはサブスクリプション情報からＡＭＦによって導出され得る。
【００２６】
ＡＭＦは、Ｎ２インターフェースを介してＮ２シグナリング中で搬送される「予想されるＵＥ挙動」として、この情報をいつＲＡＮに送るべきかを決定する。
【００２７】
ＣＮ支援情報の計算、すなわち、使用されるアルゴリズムおよび関係する基準、およびＲＡＮに送ることが好適で安定であると考えられるときの決定は、ベンダー固有であり得る。
【発明の概要】
【００２８】
本明細書の実施形態の目的は、したがって、上記の欠点のうちの少なくとも１つをなくすこと、および改善されたページングを提供することである。
【００２９】
第１の態様によれば、本目的は、ページングを処理するための制御プレーン（ＣＰ）ノードによって実行される方法によって達成される。ＣＰノードは、ユーザ機器（ＵＥ）がアクセスネットワーク（ＡＮ）ノードによってページングされるべきであることをトリガする。ＣＰノードは、トリガされたとき、ＡＮノードにページング支援情報を送信する。
【００３０】
第２の態様によれば、本目的は、ページングを処理するためのＡＮノードによって実行される方法によって達成される。ＡＮノードはＣＰノードからページング支援情報を受信する。ＡＮノードは、受信されたページング支援情報に基づいてページングストラテジーを決定する。ＡＮノードは、決定されたページングストラテジーを使用してＵＥをページングする。
【００３１】
第３の態様によれば、本目的は、ページングを処理するためのＣＰノードによって達成される。ＣＰノードは、ＵＥがＡＮノードによってページングされるべきであることをトリガし、トリガされたとき、ＡＮノードにページング支援情報を送信するように適応される。
【００３２】
第４の態様によれば、本目的は、ページングを処理するためのＡＮノードによって達成される。ＡＮノードはＣＰノードからページング支援情報を受信するように適応される。ＡＮノードは、受信されたページング支援情報に基づいてページングストラテジーを決定し、決定されたページングストラテジーを使用してＵＥをページングするように適応される。
【００３３】
ページング支援情報のおかげで、ＡＮノードは、ページングストラテジーを決定することが可能であるような詳細な関連情報を有する、すなわち、ページングが改善される。
【００３４】
本明細書の実施形態は、多くの利点を与え、それの例の非網羅的なリストが以下に続く。
【００３５】
本明細書の実施形態の１つの利点は、異なるプロシージャにおいて５ＧＣによって与えられる無線アクセスネットワーク（ＲＡＮ）のローカルインフォおよび情報に基づいて、最適化されたページングストラテジーが無線アクセスネットワーク（ＲＡＮ）によって構築され得ることである。
【００３６】
本明細書の実施形態は上述の特徴および利点に限定されない。当業者は、以下の詳細な説明を読むと追加の特徴および利点を認識する。
【００３７】
次に、実施形態を示す添付の図面を参照することによって以下の詳細な説明において、本明細書の実施形態についてさらにより詳細に説明する。
【図面の簡単な説明】
【００３８】
【図１】５Ｇシステムの例示的な実施形態を示す概略図である。
【図２】５Ｇシステムの例示的な実施形態を示す概略図である。
【図３】通信システムの例示的な実施形態を示す概略図である。
【図４】方法の実施形態を示すシグナリングダイヤグラムである。
【図５】ＣＰノードによって実行される方法の実施形態を示すフローチャートである。
【図６】ＡＮノードによって実行される方法の実施形態を示すフローチャートである。
【図７】ＣＰノードの実施形態を示す概略図である。
【図８】ＡＮノードの実施形態を示す概略図である。
【発明を実施するための形態】
【００３９】
図面は必ずしも一定の縮尺でなく、いくつかの特徴の寸法は明快のために誇張されていることがある。代わりに、本明細書の実施形態の原理を示すことに重点が置かれている。
【００４０】
図３は、本明細書の実施形態が実装され得るシステムの実施形態を示す概略ブロック図である。本システムは、いくつかの実施形態では、たとえば、ロングタームエボリューション（ＬＴＥ）、ＬＴＥ  Ａｄｖａｎｃｅｄ、広帯域符号分割多元接続（ＷＣＤＭＡ）、モバイル通信用グローバルシステム（ＧＳＭ）、５Ｇもしくは他の第３世代パートナーシッププロジェクト（３ＧＰＰ）無線アクセス技術、またはたとえばＷＬＡＮなどの他の無線アクセス技術など、１つまたは複数の無線アクセス技術に適用し得る。
【００４１】
図３は、アクセスネットワーク（ＡＮ）ノード１０３と通信するように適応されたユーザ機器（ＵＥ）１０１を示す。ＡＮノード１０３は、制御プレーン（ＣＰ）ノード１０５と通信するように適応される。
【００４２】
ＵＥ１０１は、加入者が、オペレータのネットワークによって提供されるサービスと、オペレータの無線アクセスネットワークおよびコアネットワークがオペレータのネットワークへのアクセス、たとえばインターネットへのアクセスを与えるオペレータの該ネットワークの外のサービスとにアクセスし得るためのデバイスであり得る。ＵＥ１０１は、たとえば限定はしないが、たとえば、ユーザ機器、モバイルフォン、スマートフォン、センサー、メーター、車両、家庭用アプライアンス、医療アプライアンス、メディアプレーヤ、カメラ、マシンツーマシン（Ｍ２Ｍ）デバイス、デバイスツーデバイス（Ｄ２Ｄ）デバイス、モノのインターネット（ＩｏＴ）デバイス、または任意のタイプのコンシューマーエレクトロニクス、たとえば限定はしないが、テレビジョン、ラジオ、照明設備、タブレットコンピュータ、ラップトップもしくはパーソナルコンピュータ（ＰＣ）など、通信ネットワークにおいて通信することが可能な任意のモバイルまたは固定のデバイスであり得る。ＵＥ１０１は、無線アクセスネットワークを介して、別のデバイスまたはサーバなど、別のエンティティとボイスおよび／またはデータを通信することが可能な、ポータブル、ポケット格納可能な、ハンドヘルド、コンピュータに備えられる、または車両に取り付けられるデバイスであり得る。
【００４３】
ＡＮノード１０３は（Ｒ）ＡＮノード、ＲＡＮノード、基地局、ノードＢ、ｅノードＢ（ｅＮＢ）、ｇＮＢ、ＲＮＣなどと呼ばれることがある。
【００４４】
ＣＰノード１０５は、ＣＰ機能、ＣＰエンティティ、ＣＰ機能を実装するノード、または制御プレーン中のユニットのための他の好適な用語で呼ばれることもある。ＣＰノード１０５は、たとえば５Ｇ  ＣＰノードであり得る。ＣＰノード１０５はアクセスおよびモビリティ管理機能（ＡＭＦ）または無線ＡＭＦ（ＲＡＭＦ）であり得る。
【００４５】
図３に例示された通信システムは、図示されたエンティティ以外のエンティティを含み得るが、簡潔のためにＵＥ１０１、ＡＮノード１０３、およびＣＰノード１０５のみが示されている。たとえば、通信システムは、図１および図２に示されたエンティティのうちの少なくとも１つを含み得る。
【００４６】
ＲＲＣ非アクティブ状態におけるＵＥの場合、ＲＡＮページングは以下のケースのうちの少なくとも１つにおいてトリガされ得る。すなわち、
ａ）ダウンリンクシグナリングの場合、および／または
ｂ）ダウンリンクデータの場合。
【００４７】
ＲＡＮページング（すなわちＵＥのページング）が実行されたとき、あるページングストラテジーはＲＡＮによって定義される。しかしながら、ＲＡＮは、上記の両方のケースにおいてページングストラテジーを適用するとき、ＵＥに関するすべての情報（たとえば、ＭＴシグナリングのクリティカルレベル）、またはＰＤＵセッションに関するすべての情報（たとえば、ＤＮＮ、サービスのクリティカルレベル）を有するとは限らない。現在の３ＧＰＰ規格はまだ問題に対処していない。
【００４８】
本明細書の実施形態によれば、静的ページング支援情報と動的ページング支援情報の両方がＵＥレベルまたはＰＤＵセッションレベルのいずれかで異なるプロシージャにおいてＲＡＮに与えられる。ページング支援情報の少なくとも一部は、ケースａ）およびケースｂ）が非アクティブ状態におけるＲＲＣ中のＵＥのために起こるときにページングストラテジーを構築するとき、入力パラメータとしてＲＡＮによって使用され得る。
【００４９】
静的ページング支援情報は、ＵＥコンテキストまたはＰＤＵセッションがＲＡＮに向けて確立されるときに静的情報である。静的ページング支援情報はＵＥコンテキストまたはＰＤＵセッションの動作中の時間（ｌｉｖｅ  ｔｉｍｅ）にわたって有効である。動的ページング支援情報は、ＡＭＦが現在のアクティビティのクリティカルレベルを示すときに構築され、これは現在のページングアクティビティのためにＲＡＮによって使用されるのみである。ＡＭＦは、ＭＴイベントが起こるときに入力（たとえば、他のネットワーク機能（ＮＦ）からの何らかの優先度情報）に基づいて、この情報を構築する。
【００５０】
ページング支援情報、ページング情報または非アクティブ支援情報（これらの用語は本明細書で互換的に使用される）とも呼ばれる支援情報はＲＲＣ非アクティブ状態におけるＵＥのために５ＧＣからＲＡＮに送信される。情報は、それが、ページングストラテジーを決定する際にＡＮノードを支援するという意味で支援情報である。ページング支援情報は以下のパラメータのうちの少なくとも１つを含み得る。すなわち、サービス優先度情報および／またはページング優先度情報。サービス優先度情報は以下のパラメータのうちの少なくとも１つを含み得る。すなわち、
優先度レベル（１〜２５６、異なる入力に基づいてＣＰノード（たとえばＡＭＦ）によって生成される）、および／または
属性（動的（すなわち１回使用）対静的）、および／または
ＵＥもしくはＰＤＵセッションレベル指示。
【００５１】
ページング優先度情報は、ＭＰＳ優先度サービスに多く関係するアイドルモードページング優先度に対応し得る。
【００５２】
ページング支援情報は以下のプロシージャのうちの少なくとも１つにおいてＡＭＦからＲＡＮに与えられ得る。すなわち、
ＰＤＵセッション確立／変更、および／または
ダウンリンクＮＡＳトランスポート、および／または
Ｎ２  ＵＥコンテキスト確立／変更、および／または
ＨＯ準備。
【００５３】
図４は、図３におけるシステムに関して、方法の実施形態を示すシグナリングダイヤグラムである。図は、たとえばページング支援情報配信の実施形態を示す。図４に示された方法は、以下のステップのうちの少なくとも１つを含み、それらのステップは、以下で説明するよりも任意の好適な順序で実行され得る。すなわち
【００５４】
ステップ４０１
ＣＰノード１０５は、ＡＮノード１０３に送信されるメッセージをトリガする。メッセージはＮ２メッセージであり得る。Ｎ２メッセージは、Ｎ２参照ポイントを介して送信されるべきメッセージである。Ｎ２参照ポイントはＣＰノード１０５とＡＮノード１０３との間にあり得る。メッセージは、ＰＤＵセッションリソースの変更を示す情報を含み得る。ＵＥ１０１は、このステップが実行されるとき、ＲＲＣ非アクティブ状態にある。
【００５５】
ステップ４０２
ＣＰノード１０５は、トリガされたメッセージをＡＮノード１０３に送る。メッセージはＰＤＵセッションリソース変更であり得る。メッセージはページング支援情報を含む。上述のように、ページング支援情報は、以下のパラメータ、すなわち、サービス優先度情報および／またはページング優先度情報のうちの少なくとも１つを含み得る。サービス優先度情報は以下のパラメータのうちの少なくとも１つを含む。すなわち、
優先度レベル（１〜２５６、異なる入力に基づいてＡＭＦによって生成される）、および／または
属性（動的（すなわち１回使用）対静的）、および／または
ＵＥもしくはＰＤＵセッションレベル指示。
ページング優先度情報は、ＭＰＳ優先度サービスに多く関係するアイドルモードページング優先度に対応し得る。
【００５６】
ＡＮノード１０３はＣＰノード１０５からのメッセージを受信する。
【００５７】
ステップ４０３
ＡＮノード１０３は、ＵＥ１０１をページングするためのページングストラテジーを構築する。
【００５８】
ステップ４０４
ＡＮノード１０３はステップ４０３におけるストラテジーに従ってＵＥ１０１をページングする。さらに、ＲＲＣ再開プロシージャも開始され得る。
【００５９】
次に、上記で説明した方法について、ＣＰノード１０５の観点から見て説明する。図５は、ページングを処理するための、ＣＰノード１０５によって実行される本方法について説明するフローチャートである。ＣＰノード１０５は５Ｇ  ＣＰノードであり得る。ＣＰノード１０５はＡＭＦであり得る。図５における方法は、ＣＰノード１０５によって実行されるべき以下のステップのうちの少なくとも１つを含み、それらのステップは、以下で説明する以外の好適な順序で実行され得る。すなわち、
【００６０】
ステップ５０１
このステップは図４におけるステップ４０１に対応する。ＣＰノード１０５は、ＵＥ１０１がＡＮノード１０３によってページングされるべきであることをトリガする。ＵＥ１０１はＲＲＣ非アクティブ状態であり得る。ＵＥ１０１はＲＲＣ非アクティブ状態でＣＭ−ＣＯＮＮＥＣＴＥＤ状態にあり得る。
【００６１】
ＡＮページングは、
ダウンリンクシグナリングおよび／または
ダウンリンクデータ
のうちの少なくとも１つの場合にトリガされ得る。
【００６２】
ステップ５０２
このステップは図４におけるステップ４０２に対応する。ＣＰノード１０５は、トリガされたとき、ＡＮノード１０３にページング支援情報を送信する。
【００６３】
ページング支援情報は、以下のプロシージャのうちの少なくとも１つに関連するメッセージ中でＡＮノード１０３に送信され得る。すなわち、
ＰＤＵセッション確立／変更、および／または
ダウンリンクＮＡＳトランスポート、および／または
Ｎ２  ＵＥコンテキスト確立／変更、および／または
ＨＯ準備。
【００６４】
ページング支援情報はサービス優先度情報および／またはページング優先度情報のうちの少なくとも１つを含み得る。
【００６５】
ページング支援情報中に含まれるサービス優先度情報は以下のうちの少なくとも１つを含み得る。すなわち、
優先度レベル（１〜２５６、異なる入力に基づいてＣＰノード（１０５）によって生成される）、および／または
属性（動的（すなわち１回使用）対静的）、および／または
ＵＥもしくはＰＤＵセッションレベル指示。
ページング支援情報は静的ページング支援情報および／または動的ページング支援情報のうちの少なくとも１つを含み得る。
【００６６】
ページング支援情報はＵＥレベルにおいてまたはＰＤＵセッションレベルにおいてＡＮノード１０３に送信され得る。
【００６７】
ページングを処理するための図５に示された方法ステップを実行するために、ＣＰノード１０５は、図６に示されているような構成を含み得る。ＣＰノードは５Ｇ  ＣＰノードであり得る。ＣＰノードはＡＭＦであり得る。
【００６８】
ＣＰノード１０５は、たとえば、トリガモジュール６０１によって、ＵＥがＡＮノードによってページングされるべきであることをトリガするように適応される。ＵＥはＲＲＣ非アクティブ状態であり得る。ＵＥはＲＲＣ非アクティブ状態でＣＭ−ＣＯＮＮＥＣＴＥＤ状態にあり得る。トリガモジュール６０１は、ＣＰノード１０５中に含まれるプロセッサ６０２であり得る。
【００６９】
ＡＮページングは、
ダウンリンクシグナリングおよび／または
ダウンリンクデータ
のうちの少なくとも１つの場合にトリガされ得る。
【００７０】
ＣＰノードは、たとえば、送信モジュール６０３によって、トリガされたとき、ＡＮノードにページング支援情報を送信するように適応される。
【００７１】
ページング支援情報は、以下のプロシージャのうちの少なくとも１つに関連するメッセージ中でＡＮノードに送信され得る。すなわち、
ＰＤＵセッション確立／変更、および／または
ダウンリンクＮＡＳトランスポート、および／または
Ｎ２  ＵＥコンテキスト確立／変更、および／または
ＨＯ準備。
【００７２】
ページング支援情報はサービス優先度情報および／またはページング優先度情報のうちの少なくとも１つを含み得る。
【００７３】
ページング支援情報に含まれるサービス優先度情報は以下のうちの少なくとも１つを含み得る。すなわち、
優先度レベル（１〜２５６、異なる入力に基づいてＣＰノード（１０５）によって生成される）、および／または
属性（動的（すなわち１回使用）対静的）、および／または
ＵＥもしくはＰＤＵセッションレベル指示。
【００７４】
ページング支援情報は静的ページング支援情報および／または動的ページング支援情報のうちの少なくとも１つを含み得る。
【００７５】
ページング支援情報はＵＥレベルにおいてまたはＰＤＵセッションレベルにおいてＡＮノード１０３に送信される。
【００７６】
ＣＰノードは、たとえば受信モジュール６０５によって、システム中の他のエンティティからの情報およびメッセージを受信するように適応される。
【００７７】
いくつかの実施形態では、ＣＰノードはプロセッサ６０２とメモリ６１０とを備える。メモリ６１０は、プロセッサ６０２によって実行可能な命令を含む。
【００７８】
メモリ６１０は１つまたは複数のメモリユニットを含む。メモリ６１０は、ＣＰノードにおいて実行されているときに本明細書の方法を実行するために、データ、受信データストリーム、シグナリング、データ、優先度情報、ページング支援情報、ページングストラテジー、ローカル情報、しきい値、時間期間、設定、スケジューリング、およびアプリケーションを記憶するために使用されるように構成される。
【００７９】
いくつかの実施形態では、コンピュータプログラムは、少なくとも１つのプロセッサ上で実行されたとき、少なくとも１つのプロセッサに図４および図５における方法ステップを実行させる命令を含み得る。キャリアはコンピュータプログラムを備え得、キャリアは電子信号、光信号、無線信号またはコンピュータ可読記憶媒体のうちの１つである。
【００８０】
次に、上記で説明した方法について、ＡＮノード１０３の観点から見て説明する。図７は、ページングを処理するためのＡＮノードによって実行される本方法について説明するフローチャートである。図７における方法は、ＡＮノード１０３によって実行されるべき以下のステップのうちの少なくとも１つを含み、それらのステップは、以下で説明する以外の任意の好適な順序で実行され得る。
【００８１】
ステップ７０１
このステップは図４におけるステップ４０２に対応する。ＡＮノード１０３はＣＰノードからページング支援情報を受信する。
【００８２】
ステップ７０２
このステップは図４におけるステップ４０３に対応する。ＡＮノード１０３は、受信されたページング支援情報に基づいてページングストラテジーを決定する。ページングストラテジーは、ページング方法、ページングプロシージャ、ページングルーチンなどとも呼ばれることがある。
【００８３】
ページングストラテジーは、
１）ページングエリアの範囲（たとえば、小さいエリアから大きいエリアまで、またはすぐに大きいエリアにおけるページングをする）
２）ページングタイマー（たとえば、ページング応答としてＵＥからのＲＲＣ再開を待つ）
３）ページング反復処理（諦める前の反復の回数）
に関して、ＡＮノードがどのようにページングを実行するのかに関係する。
【００８４】
ステップ７０３
このステップは図４におけるステップ４０４に対応する。ＡＮノード１０３は、決定されたページングストラテジーを使用してＵＥをページングする。
【００８５】
ページングを処理するための図７に示された方法ステップを実行するために、ＡＮノード１０３は、図８に示されているような構成を備え得る。
【００８６】
ＡＮノードは、たとえば受信モジュール８０１によって、ＣＰノードからのページング支援情報を受信するように適応される。ページング支援情報は、以下のプロシージャのうちの少なくとも１つに関連するメッセージ中でＡＮノード１０３によって受信され得る。すなわち、
ＰＤＵセッション確立／変更、および／または
ダウンリンクＮＡＳトランスポート、および／または
Ｎ２  ＵＥコンテキスト確立／変更、および／または
ＨＯ準備。
【００８７】
ページング支援情報はサービス優先度情報および／またはページング優先度情報のうちの少なくとも１つを含み得る。ページング支援情報中に含まれるサービス優先度情報は以下のうちの少なくとも１つを含み得る。すなわち、
優先度レベル（１〜２５６、異なる入力に基づいてＣＰノード（１０５）によって生成される）、および／または
属性（動的（すなわち、１回使用）対静的）、および／または
ＵＥもしくはＰＤＵセッションレベル指示。
【００８８】
ページング支援情報は静的ページング支援情報および／または動的ページング支援情報のうちの少なくとも１つを含み得る。ページング支援情報はＵＥレベルにおいてまたはＰＤＵセッションレベルにおいてＡＮノード１０３によって受信され得る。
【００８９】
ＡＮノードは、たとえば決定モジュール８０３によって、受信されたページング支援情報に基づいてページングストラテジーを決定するように適応される。決定モジュール８０３は、ＡＮノード１０３中に含まれるプロセッサ８０５であり得る。ページングストラテジーは、さらに、ＡＮノード中に含まれるローカル情報に基づいて決定され得る。
【００９０】
ＡＮノードは、たとえばページングモジュール８０８によって、決定されたページングストラテジー３５を使用してＵＥをページングするように適応される。ＵＥ１０１はＲＲＣ非アクティブ状態であり得る。ＵＥ１０１はＲＲＣ非アクティブ状態でＣＭ−ＣＯＮＮＥＣＴＥＤ状態にあり得る。
【００９１】
ＡＮノードは、たとえば送信モジュール８１０によって、たとえばＵＥおよび／またはＣＰノード１０５など、システム中の他のノードにメッセージおよび情報を送信するように適応される。
【００９２】
いくつかの実施形態では、ＡＮノードはプロセッサ８０１とメモリ８１３とを備える。メモリ８１３は、プロセッサ８０１によって実行可能な命令を含む。
【００９３】
メモリ８１３は１つまたは複数のメモリユニットを備える。メモリ８１３は、ＡＮノードにおいて実行されているときに本明細書の方法を実行するために、データ、受信データストリーム、シグナリング、データ、優先度情報、ページング支援情報、ページングストラテジー、ローカル情報、しきい値、時間期間、設定、スケジューリング、およびアプリケーションを記憶するために使用されるように構成される。
【００９４】
いくつかの実施形態では、コンピュータプログラムは、少なくとも１つのプロセッサ上で実行されたとき、少なくとも１つのプロセッサに図４および図７における方法ステップを実行させる命令を含み得る。キャリアはコンピュータプログラムを備え得、キャリアは電子信号、光信号、無線信号またはコンピュータ可読記憶媒体のうちの１つである。
【００９５】
ページングを処理するための本機構は、本明細書の実施形態の機能を実行するためのコンピュータプログラムコードと一緒に、図６に示されているＣＰノード構成におけるプロセッサ６０２および図８に示されているＡＮノード構成におけるプロセッサ８０５など、１つまたは複数のプロセッサによって実装され得る。プロセッサは、たとえば、デジタル信号プロセッサ（ＤＳＰ）、特定用途向け集積回路（ＡＳＩＣ）プロセッサ、フィールドプログラマブルゲートアレイ（ＦＰＧＡ）プロセッサまたはマイクロプロセッサであり得る。上述のプログラムコードは、たとえば、ＣＰノードおよび／またはＡＮノードのうちの少なくとも１つにロードされているときに本明細書の実施形態を実行するためのコンピュータプログラムコードを搬送するデータキャリアの形態で、コンピュータプログラム製品としても与えられ得る。１つのそのようなキャリアはＣＤ  ＲＯＭディスクの形態であり得る。１つのそのようなキャリアは、しかしながら、メモリスティックなど他のデータキャリアを用いて実現可能である。コンピュータプログラムコードは、さらに、サーバ上の純粋なプログラムコードとして与えられ、ＣＰノードおよび／またはＡＮノードのうちの少なくとも１つにダウンロードされ得る。
【００９６】
本明細書の実施形態はＲＲＣ非アクティブ状態ページング支援情報配信に関する。
【００９７】
本明細書の実施形態は上記で説明した実施形態に限定されない。様々な代替、変更および等価物が使用され得る。したがって、上記実施形態は、実施形態の範囲を限定するものとして取られるべきでない。一実施形態からの特徴は任意の他の実施形態の１つまたは複数の特徴と組み合わせられ得る。
【００９８】
本明細書で使用されるとき、用語「含む（comprise）／含む（comprising）」は、述べられる特徴、整数、ステップまたは構成要素の存在を指定するように取られるが、１つまたは複数の他の特徴、整数、ステップ、構成要素、またはそれらのグループの存在または追加を排除しないことが強調されるべきである。また、要素に先行する単語「ａ」または「ａｎ」は複数のそのような要素の存在を除外しないことに留意されたい。「からなる」または「から本質的になる」という用語は、含む（comprising）という用語の代わりに使用され得る。
【００９９】
本明細書で使用する「ように設定される」という用語は、「ように構成される」、「ように適応される」、「ことが可能な」または「ように動作可能な」と呼ばれることもある。
【０１００】
また、方法のステップは、本明細書の実施形態から逸脱することなく、それらが現れる順序とは別の順序で実行され得ることが強調されるべきである。
【０１０１】
例示的な実施形態
１．ページングを処理するための制御プレーン（ＣＰ）ノード（１０５）によって実行される方法であって、
ＵＥ（１０１）がＡＮノード（１０３）によってページングされるべきことをトリガすること（４０１）と、
トリガされたとき、ＡＮノード（１０３）にページング支援情報を送信すること（４０２）と
を含む、方法。
【０１０２】
２．ＡＮページングが、
ダウンリンクシグナリングおよび／または
ダウンリンクデータ
のうちの少なくとも１つの場合にトリガされる、実施形態１に記載の方法。
【０１０３】
３．ページング支援情報が、以下のプロシージャ、すなわち、
ＰＤＵセッション確立／変更、および／または
ダウンリンクＮＡＳトランスポート、および／または
Ｎ２  ＵＥコンテキスト確立／変更、および／または
ＨＯ準備
のうちの少なくとも１つに関連するメッセージ中でＡＮノード（１０３）に送信される、実施形態１または２に記載の方法。
【０１０４】
４．ＵＥ（１０１）がＲＲＣ非アクティブ状態にある、実施形態１から３のいずれか一項に記載の方法。
【０１０５】
５．ＵＥ（１０１）が、ＲＲＣ非アクティブ状態でＣＭ−ＣＯＮＮＥＣＴＥＤ状態にある、実施形態１から４のいずれか一項に記載の方法。
【０１０６】
６．ページング支援情報がサービス優先情報および／またはページング優先情報のうちの少なくとも１つを含む、実施形態１から５のいずれか一項に記載の方法。
【０１０７】
７．ページング支援情報中に含まれるサービス優先度情報が、
優先度レベル（１〜２５６、異なる入力に基づいてＣＰノード（１０５）によって生成される）、および／または
属性（動的（すなわち１回使用）対静的）、および／または
ＵＥもしくはＰＤＵセッションレベル指示
のうちの少なくとも１つを含む、実施形態１から６のいずれか一項に記載の方法。
【０１０８】
８．ページング支援情報が静的ページング支援情報および／または動的ページング支援情報のうちの少なくとも１つを含む、実施形態１から７のいずれか一項に記載の方法。
【０１０９】
９．ページング支援情報がＵＥレベルにおいてまたはＰＤＵセッションレベルにおいてＡＮノード（１０３）に送信される、実施形態１から８のいずれか一項に記載の方法。
【０１１０】
１０．ＣＰノード（１０５）が５Ｇ  ＣＰノードである、実施形態１から９のいずれか一項に記載の方法。
【０１１１】
１１．ＣＰノード（１０５）がＡＭＦである、実施形態１から１０のいずれか一項に記載の方法。
【０１１２】
１２．ページングを処理するためのアクセスネットワーク（ＡＮ）ノード（１０３）によって実行される方法であって、
制御プレーン（ＣＰ）ノード（１０５）からページング支援情報を受信すること（４０２）と、
受信されたページング支援情報に基づいてページングストラテジーを決定すること（４０３）と、
決定されたページングストラテジーを使用してＵＥ（１０１）をページングすること（４０４）と
を含む、方法。
【０１１３】
１３．ページングストラテジーが、さらに、ＡＮノード（１０３）中に含まれるローカル情報に基づいて決定される、実施形態１から１２のいずれか一項に記載の方法。
【０１１４】
１４．ページング支援情報が、以下のプロシージャ、すなわち、
ＰＤＵセッション確立／変更、および／または
ダウンリンクＮＡＳトランスポート、および／または
Ｎ２  ＵＥコンテキスト確立／変更、および／または
ＨＯ準備
のうちの少なくとも１つに関連するメッセージ中でＡＮノード（１０３）によって受信される、実施形態１から１３のいずれか一項に記載の方法。
【０１１５】
１５．ＵＥ（１０１）がＲＲＣ非アクティブ状態にある、実施形態１から１４のいずれか一項に記載の方法。
【０１１６】
１６．ＵＥ（１０１）がＲＲＣ非アクティブ状態でＣＭ−ＣＯＮＮＥＣＴＥＤ状態にある、実施形態１から１５のいずれか一項に記載の方法。
【０１１７】
１７．ページング支援情報がサービス優先度情報および／またはページング優先度情報のうちの少なくとも１つを含む、実施形態１から１６のいずれか一項に記載の方法。
【０１１８】
１８．ページング支援情報中に含まれるサービス優先度情報が、
優先度レベル（１〜２５６、異なる入力に基づいてＣＰノード（１０５）によって生成される）、および／または
属性（動的（すなわち１回使用）対静的）、および／または
ＵＥもしくはＰＤＵセッションレベル指示
のうちの少なくとも１つを備える、実施形態１から１７のいずれか一項に記載の方法。
【０１１９】
１９．ページング支援情報が静的ページング支援情報および／または動的ページング支援情報のうちの少なくとも１つを含む、実施形態１から１８のいずれか一項に記載の方法。
【０１２０】
２０．ページング支援情報がＵＥレベルにおいてまたはＰＤＵセッションレベルにおいてＡＮノード（１０３）によって受信される、実施形態１から１９のいずれか一項に記載の方法。
【０１２１】
２１．ページングを処理するための制御プレーン（ＣＰ）ノード（１０５）であって、
ＵＥ（１０１）がＡＮノード（１０３）によってページングされるべきであることをトリガすることと、
トリガされたとき、ＡＮノード（１０３）にページング支援情報を送信することと
を行うように適応された、ＣＰノード（１０５）。
【０１２２】
２２．ＡＮページングが、
ダウンリンクシグナリングおよび／または
ダウンリンクデータ
のうちの少なくとも１つの場合にトリガされる、実施形態２１に記載のＣＰノード（１０５）。
【０１２３】
２３．ページング支援情報が、以下のプロシージャ、すなわち、
ＰＤＵセッション確立／変更、および／または
ダウンリンクＮＡＳトランスポート、および／または
Ｎ２  ＵＥコンテキスト確立／変更、および／または
ＨＯ準備、
のうちの少なくとも１つに関連するメッセージ中でＡＮノード（１０３）に送信される、実施形態２１または２２に記載のＣＰノード（１０５）。
【０１２４】
２４．ＵＥ（１０１）がＲＲＣ非アクティブ状態にある、実施形態２１から２３のいずれか一項に記載のＣＰノード（１０５）。
【０１２５】
２５．ＵＥ（１０１）がＲＲＣ非アクティブ状態でＣＭ−ＣＯＮＮＥＣＴＥＤ状態にある、実施形態２１から２４のいずれか一項に記載のＣＰノード（１０５）。
【０１２６】
２６．ページング支援情報がサービス優先度情報および／またはページング優先度情報のうちの少なくとも１つを含む、実施形態２１から２５のいずれか一項に記載のＣＰノード（１０５）。
【０１２７】
２７．ページング支援情報中に含まれるサービス優先度情報が、
優先度レベル（１〜２５６、異なる入力に基づいてＣＰノード（１０５）によって生成される）、および／または
属性（動的（すなわち１回使用）対静的）、および／または
ＵＥもしくはＰＤＵセッションレベル指示
のうちの少なくとも１つを備える、実施形態２１から２６のいずれか一項に記載のＣＰノード（１０５）。
【０１２８】
２８．ページング支援情報が静的ページング支援情報および／または動的ページング支援情報のうちの少なくとも１つを含む、実施形態２１から２７のいずれか一項に記載のＣＰノード（１０５）。
【０１２９】
２９．ページング支援情報がＵＥレベルにおいてまたはＰＤＵセッションレベルにおいてＡＮノード（１０３）に送信される、実施形態２１から２８のいずれか一項に記載のＣＰノード（１０５）。
【０１３０】
３０．５Ｇ  ＣＰノードである、実施形態２１から２９のいずれか一項に記載のＣＰノード（１０５）。
【０１３１】
３１．ＡＭＦである、実施形態２１から３０のいずれか一項に記載のＣＰノード（１０５）。
【０１３２】
３２．ページングを処理するためのＡＮノード（１０３）であって、
制御プレーン（ＣＰ）ノード（１０５）からページング支援情報を受信することと、
受信されたページング支援情報に基づいてページングストラテジーを決定することと、
決定されたページングストラテジーを使用してＵＥ（１０１）をページングすることと
を行うように適応された、ＡＮノード（１０３）。
【０１３３】
３３．ページングストラテジーが、さらに、ＡＮノード（１０３）中に含まれるローカル情報に基づいて決定される、実施形態３２に記載のＡＮノード（１０３）。
【０１３４】
３４．ページング支援情報が、以下のプロシージャ、すなわち、
ＰＤＵセッション確立／変更、および／または
ダウンリンクＮＡＳトランスポート、および／または
Ｎ２  ＵＥコンテキスト確立／変更、および／または
ＨＯ準備
のうちの少なくとも１つに関連するメッセージ中でＡＮノード（１０３）によって受信される、実施形態３２または３３に記載のＡＮノード（１０３）。
【０１３５】
３５．ＵＥ（１０１）がＲＲＣ非アクティブ状態にある、実施形態３２から３４のいずれか一項に記載のＡＮノード（１０３）。
【０１３６】
３６．ＵＥ（１０１）がＲＲＣ非アクティブ状態でＣＭ−ＣＯＮＮＥＣＴＥＤ状態にある、実施形態３２から３５のいずれか一項に記載のＡＮノード（１０３）。
【０１３７】
３７．ページング支援情報がサービス優先度情報および／またはページング優先度情報のうちの少なくとも１つを含む、実施形態３２から３６のいずれか一項に記載のＡＮノード（１０３）。
【０１３８】
３８．ページング支援情報中に含まれるサービス優先度情報が、
優先度レベル（１〜２５６、異なる入力に基づいてＣＰノード（１０５）によって生成される）、および／または
属性（動的（すなわち１回使用）対静的）、および／または
ＵＥもしくはＰＤＵセッションレベル指示
のうちの少なくとも１つを備える、実施形態３２から３７のいずれか一項に記載のＡＮノード（１０３）。
【０１３９】
３９．ページング支援情報が静的ページング支援情報および／または動的ページング支援情報のうちの少なくとも１つを含む、実施形態３２から３８のいずれか一項に記載のＡＮノード（１０３）。
【０１４０】
４０．ページング支援情報がＵＥレベルにおいてまたはＰＤＵセッションレベルにおいてＲＡＮ（１０３）によって受信される、実施形態３２から３９のいずれか一項に記載のＡＮノード（１０３）。
【０１４１】
４１．実施形態２１から３１のいずれか一項に記載のＣＰノード（１０５）と、実施形態３２から４０のいずれか一項に記載のＡＮノード（１０３）とを含むシステム。
【０１４２】
４２．ページングを処理するためのシステムによって実行される方法であって、
ＣＰノード（１０５）において、ＵＥ（１０１）がＡＮノード（１０３）によってページングされるべきであることをトリガすること（４０１）と、
トリガされたとき、ＣＰノード（１０５）からＡＮノード（１０３）にページング支援情報を送信すること（４０２）と、
ＡＮノード（１０３）において、制御プレーン（ＣＰ）ノード（１０５）からページング支援情報を受信すること（４０２）と、
ＡＮノード（１０３）において、受信されたページング支援情報に基づいてページングストラテジーを決定すること（４０３）と、
ＡＮノード（１０３）において、決定されたページングストラテジーを使用してＵＥ（１０１）をページングすること（４０４）と、
ＵＥ（１０１）において、ＡＮノード（１０３）からページングを検出すること（４０４）と
を含む、方法。
【０１４３】
４２．少なくとも１つのプロセッサ上で実行されたとき、少なくとも１つのプロセッサに実施形態１から１１のいずれか一項に記載の方法を実行させる命令を含むコンピュータプログラム。
【０１４４】
４３．電子信号、光信号、無線信号またはコンピュータ可読記憶媒体のうちの１つである、実施形態４２に記載のコンピュータプログラムを備えるキャリア。
【０１４５】
４４．少なくとも１つのプロセッサ上で実行されたとき、少なくとも１つのプロセッサに実施形態１２から２０のいずれか一項に記載の方法を実行させる命令を含むコンピュータプログラム。
【０１４６】
４５．電子信号、光信号、無線信号またはコンピュータ可読記憶媒体のうちの１つである、実施形態４４に記載のコンピュータプログラムを含むキャリア。
【０１４７】
４６．少なくとも１つのプロセッサ上で実行されたとき、少なくとも１つのプロセッサに実施形態４１のいずれか一項に記載の方法を実行させる命令を含むコンピュータプログラム。
【０１４８】
４７．電子信号、光信号、無線信号またはコンピュータ可読記憶媒体のうちの１つである、実施形態４６に記載のコンピュータプログラムを含むキャリア。
【図１】
2020536444.tif 000003
【図２】
2020536444.tif 000004
【図３】
2020536444.tif 000005
【図４】
2020536444.tif 000006
【図５】
2020536444.tif 000007
【図６】
2020536444.tif 000008
【図７】
2020536444.tif 000009
【図８】
2020536444.tif 000010
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
ページングを処理するための制御プレーン（ＣＰ）ノード（１０５）によって実行される方法であって、
ユーザ機器（ＵＥ）（１０１）がアクセスネットワーク（ＡＮ）ノード（１０３）によってページングされるべきことをトリガすること（４０１）と、
トリガされたとき、前記ＡＮノード（１０３）にページング支援情報を送信すること（４０２）と
を含み、
前記ページング支援情報がサービス優先度情報および／またはページング優先度情報のうちの少なくとも１つを含む、方法。
【請求項２】
前記ＡＮページングが、ダウンリンクシグナリングおよび／またはダウンリンクデータのうちの少なくとも１つの場合にトリガされる、請求項１に記載の方法。
【請求項３】
前記ページング支援情報が、以下のプロシージャ、すなわち、
プロトコルデータユニット（ＰＤＵ）セッション確立／変更、および／または
ダウンリンク非アクセス層（ＮＡＳ）トランスポート、および／または
Ｎ２  ＵＥコンテキスト確立／変更、および／または
ハンドオーバ（ＨＯ）準備
のうちの少なくとも１つに関連するメッセージ中で前記ＡＮノード（１０３）に送信される、請求項１または２に記載の方法。
【請求項４】
前記ＵＥ（１０１）が無線リソース制御（ＲＲＣ）非アクティブ状態にある、または
前記ＵＥ（１０１）が、ＲＲＣ非アクティブ状態で接続管理−（ＣＭ−）ＣＯＮＮＥＣＴＥＤ状態にある、
請求項１から３のいずれか一項に記載の方法。
【請求項５】
前記ページング支援情報中に含まれるサービス優先度情報が、
前記ＣＰノード（１０５）によって生成される優先度レベル、および／または
ＵＥもしくはＰＤＵセッションレベル指示
のうちの少なくとも１つを含む、請求項１から４のいずれか一項に記載の方法。
【請求項６】
前記ページング支援情報が静的ページング支援情報および／または動的ページング支援情報のうちの少なくとも１つを含む、請求項１から５のいずれか一項に記載の方法。
【請求項７】
前記ページング支援情報がＵＥレベルにおいてまたはＰＤＵセッションレベルにおいて前記ＡＮノード（１０３）に送信される、請求項１から６のいずれか一項に記載の方法。
【請求項８】
前記ＣＰノード（１０５）がアクセスおよびモビリティ管理機能（ＡＭＦ）である、請求項１から７のいずれか一項に記載の方法。
【請求項９】
ページングを処理するためのアクセスネットワーク（ＡＮ）ノード（１０３）によって実行される方法であって、
制御プレーン（ＣＰ）ノード（１０５）からページング支援情報を受信すること（４０２）と、
前記受信されたページング支援情報に基づいてページングストラテジーを決定すること（４０３）と、
前記決定されたページングストラテジーを使用して前記ユーザ機器（ＵＥ）（１０１）をページングすること（４０４）と
を含み、
前記ページング支援情報がサービス優先度情報および／またはページング優先度情報のうちの少なくとも１つを含む、方法。
【請求項１０】
前記ページングストラテジーが、さらに、前記ＡＮノード（１０３）中に含まれるローカル情報に基づいて決定される、請求項９に記載の方法。
【請求項１１】
前記ページング支援情報が、以下のプロシージャ、すなわち、
プロトコルデータユニット（ＰＤＵ）セッション確立／変更、および／または
ダウンリンク非アクセス層（ＮＡＳ）トランスポート、および／または
Ｎ２  ＵＥコンテキスト確立／変更、および／または
ハンドオーバ（ＨＯ）準備
のうちの少なくとも１つに関連するメッセージ中で前記ＡＮノード（１０３）によって受信される、請求項９または１０に記載の方法。
【請求項１２】
前記ＵＥ（１０１）が無線リソース制御（ＲＲＣ）非アクティブ状態にある、請求項９から１１のいずれか一項に記載の方法。
【請求項１３】
前記ＵＥ（１０１）がＲＲＣ非アクティブ状態で接続管理−（ＣＭ−）ＣＯＮＮＥＣＴＥＤ状態にある、請求項９から１２のいずれか一項に記載の方法。
【請求項１４】
前記ページング支援情報中に含まれるサービス優先度情報が、
前記ＣＰノード（１０５）によって生成される優先度レベル、および／または
ＵＥもしくはＰＤＵセッションレベル指示
のうちの少なくとも１つを含む、請求項９から１３のいずれか一項に記載の方法。
【請求項１５】
前記ページング支援情報が静的ページング支援情報および／または動的ページング支援情報のうちの少なくとも１つを含む、請求項９から１４のいずれか一項に記載の方法。
【請求項１６】
前記ページング支援情報がＵＥレベルにおいてまたはＰＤＵセッションレベルにおいて前記ＡＮノード（１０３）によって受信される、請求項９から１５のいずれか一項に記載の方法。
【請求項１７】
ページングを処理するための制御プレーン（ＣＰ）ノード（１０５）であって、
ＵＥ（１０１）がＡＮノード（１０３）によってページングされるべきであることをトリガすることと、
トリガされたとき、前記ＡＮノード（１０３）にページング支援情報を送信することと
を行うように適応され、
前記ページング支援情報がサービス優先度情報および／またはページング優先度情報のうちの少なくとも１つを含む、ＣＰノード（１０５）。
【請求項１８】
請求項１から８のいずれか一項に記載の方法を実行するようにさらに適応された、請求項１７に記載のＣＰノード（１０５）。
【請求項１９】
ページングを処理するためのアクセスネットワーク（ＡＮ）ノード（１０３）であって、
制御プレーン（ＣＰ）ノード（１０５）からページング支援情報を受信することと、
前記受信されたページング支援情報に基づいてページングストラテジーを決定することと、
前記決定されたページングストラテジーを使用して前記ＵＥ（１０１）をページングすることと
を行うように適応され、
前記ページング支援情報がサービス優先度情報および／またはページング優先度情報のうちの少なくとも１つを含む、ＡＮノード（１０３）。
【請求項２０】
請求項９から１６のいずれか一項に記載の方法を実行するようにさらに適応された、請求項１９に記載のＡＮノード（１０３）。
【請求項２１】
少なくとも１つのプロセッサ上で実行されたとき、前記少なくとも１つのプロセッサに請求項１から１６のいずれか一項に記載の方法を実行させる命令を含むコンピュータプログラム。
【請求項２２】
電子信号、光信号、無線信号またはコンピュータ可読記憶媒体のうちの１つである、請求項２１に記載のコンピュータプログラムを含むキャリア。
【国際調査報告】
2020536444.tif 000011
2020536444.tif 000012